【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】
遊技盤上に球を発射する遊技機であって、所定の遊技条件の成立に基づいて予め定めた表示遊技を実行し、その実行結果として予め定めた特賞表示態様が形成されたとき、遊技者に有利な特別価値を付与するものにおいて、
可変表示手段と、表示制御手段と、特賞制御手段と、大入賞口と、第１開閉制御手段と、第２表示手段と、第２表示制御手段と、動作モード切替手段と、第２可変入賞口と、第２開閉制御手段とを備え、
前記可変表示手段は、前記表示遊技を表示するための表示領域を成すものであり、
前記表示制御手段は、前記遊技条件の成立に基づいて前記表示遊技を前記可変表示手段上に展開表示するものであり、
前記大入賞口は、前記遊技盤上に打ち出された球の入賞し易い開状態と入賞し難い閉状態とにその入賞口の状態が変化し得る入賞口であり、
前記第１開閉制御手段は、前記特賞制御手段からの指示に基づいて前記大入賞口を開閉するものであり、
前記第２表示制御手段は、実行を開始してから所定の変動表示期間の経過後に実行結果が停止表示される第２表示遊技を第２遊技条件の成立に基づいて前記第２表示手段上で展開するものであって、前記変動表示期間の長さが通常値に設定された通常モードと前記変動表示期間の長さが前記通常モードより短く設定された時短モードのうちのいずれかの動作モードで前記第２表示遊技を実行するものであり、
前記第２可変入賞口は、前記遊技盤上に打ち出された球の入賞し易い開状態と入賞し難い閉状態とにその入賞口の状態が変化し得るものであり、
前記第２開閉制御手段は、前記第２表示遊技の実行結果として予め定めた当選表示態様が出現したとき、通常状態では閉状態にある前記第２可変入賞口を所定の短時間だけ開くものであり、
前記動作モード切替手段は、前記特賞制御手段からの指示に基づいて前記第２表示遊技の実行モードを切り替えるものであり、
前記特賞制御手段は、前記大入賞口を開くことと、前記表示遊技の動作モードを前記時短モードにすることの２種類の特別価値のいずれか一方または双方を組み合わせて遊技者に付与するものであって、前記大入賞口を開く回数と前記時短モードに入っている期間の長さの組み合わせ方を前記表示遊技の実行結果として形成された特賞表示態様の種類に応じて変更するものであることを特徴とする遊技機。
【請求項２】
前記時短モードに入っている期間の長さを、前記時短モードに入ってからの前記第２表示遊技の実行回数に基づいて定めることを特徴とする請求項１に記載の遊技機。
【請求項３】
前記大入賞口を開くことによる特別価値の付与動作が終了してから前記時短モードに入ることによる特別価値の付与動作を開始することを特徴とする請求項１または２に記載の遊技機。
【請求項４】
今回付与する特別価値の組み合わせ方を遊技者に通知表示することを特徴とする請求項１、２または３に記載の遊技機。
【請求項５】
あと１つ所定の識別情報が揃うと前記特賞表示態様になり得るリーチ状態が前記表示遊技の実行途中で出現したとき、前記リーチ状態が特賞表示態様に遷移したならば付与される特別価値の組み合わせ方を遊技者に予告通知することを特徴とする請求項４に記載の遊技機。
【請求項６】
最終的に特賞表示態様が停止表示されなかったとき、前記予告通知の継続を中止することを特徴とする請求項４に記載の遊技機。
【請求項７】
今回付与する特別価値のうち未だ付与していない残りの特別価値の内容を遊技者に逐次、通知表示することを特徴とする請求項５または６に記載の遊技機。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
【課題を解決するための手段】
かかる目的を達成するための本発明の要旨とするところは、次の各項の発明に存する。
［１］遊技盤上に球を発射する遊技機であって、所定の遊技条件の成立に基づいて予め定めた表示遊技を実行し、その実行結果として予め定めた特賞表示態様が形成されたとき、遊技者に有利な特別価値を付与するものにおいて、
可変表示手段（３０）と、表示制御手段（１１０、１４０）と、特賞制御手段（１２２）と、大入賞口（９０）と、第１開閉制御手段（１２２）と、第２表示手段（４０）と、第２表示制御手段（１２７）と、動作モード切替手段（１２８）と、第２可変入賞口（５０、５１）と、第２開閉制御手段（１２９）とを備え、
前記可変表示手段（３０）は、前記表示遊技を表示するための表示領域を成すものであり、
前記表示制御手段（１１０、１４０）は、前記遊技条件の成立に基づいて前記表示遊技を前記可変表示手段（３０）上に展開表示するものであり、
前記大入賞口（９０）は、前記遊技盤上に打ち出された球の入賞し易い開状態と入賞し難い閉状態とにその入賞口の状態が変化し得る入賞口であり、
前記第１開閉制御手段（１２２）は、前記特賞制御手段（１２２）からの指示に基づいて前記大入賞口（９０）を開閉するものであり、
前記第２表示制御手段（１２７）は、実行を開始してから所定の変動表示期間の経過後に実行結果が停止表示される第２表示遊技を第２遊技条件の成立に基づいて前記第２表示手段（４０）上で展開するものであって、前記変動表示期間の長さが通常値に設定された通常モードと前記変動表示期間の長さが前記通常モードより短く設定された時短モードのうちのいずれかの動作モードで前記第２表示遊技を実行するものであり、
前記第２可変入賞口（５０、５１）は、前記遊技盤上に打ち出された球の入賞し易い開状態と入賞し難い閉状態とにその入賞口の状態が変化し得るものであり、
前記第２開閉制御手段（１２９）は、前記第２表示遊技の実行結果として予め定めた当選表示態様が出現したとき、通常状態では閉状態にある前記第２可変入賞口（５０、５１）を所定の短時間だけ開くものであり、
前記動作モード切替手段（１２８）は、前記特賞制御手段（１２２）からの指示に基づいて前記第２表示遊技の実行モードを切り替えるものであり、
前記特賞制御手段（１２２）は、前記大入賞口（９０）を開くことと、前記表示遊技の動作モードを前記時短モードにすることの２種類の特別価値のいずれか一方または双方を組み合わせて遊技者に付与するものであって、前記大入賞口（９０）を開く回数と前記時短モードに入っている期間の長さの組み合わせ方を前記表示遊技の実行結果として形成された特賞表示態様の種類に応じて変更するものであることを特徴とする遊技機。
【手続補正５】
【補正対象書類名】明細書
【補正対象項目名】００１４
【補正方法】変更
【補正の内容】
【００１４】
［２］前記時短モードに入っている期間の長さを、前記時短モードに入ってからの前記第２表示遊技の実行回数に基づいて定めることを特徴とする［１］に記載の遊技機。
【手続補正６】
【補正対象書類名】明細書
【補正対象項目名】００１５
【補正方法】変更
【補正の内容】
【００１５】
［３］前記大入賞口（９０）を開くことによる特別価値の付与動作が終了してから前記時短モードに入ることによる特別価値の付与動作を開始することを特徴とする［１］または［２］に記載の遊技機。
【手続補正７】
【補正対象書類名】明細書
【補正対象項目名】００１６
【補正方法】変更
【補正の内容】
【００１６】
［４］今回付与する特別価値の組み合わせ方を遊技者に通知表示することを特徴とする［１］、［２］または［３］に記載の遊技機。
【手続補正８】
【補正対象書類名】明細書
【補正対象項目名】００１７
【補正方法】変更
【補正の内容】
【００１７】
［５］あと１つ所定の識別情報が揃うと前記特賞表示態様になり得るリーチ状態が前記表示遊技の実行途中で出現したとき、前記リーチ状態が特賞表示態様に遷移したならば付与される特別価値の組み合わせ方を遊技者に予告通知することを特徴とする［４］に記載の遊技機。
【手続補正９】
【補正対象書類名】明細書
【補正対象項目名】００１８
【補正方法】変更
【補正の内容】
【００１８】
［６］最終的に特賞表示態様が停止表示されなかったとき、前記予告通知の継続を中止することを特徴とする［４］に記載の遊技機。
【手続補正１０】
【補正対象書類名】明細書
【補正対象項目名】００１９
【補正方法】変更
【補正の内容】
【００１９】
［７］今回付与する特別価値のうち未だ付与していない残りの特別価値の内容を遊技者に逐次、通知表示することを特徴とする［５］または［６］に記載の遊技機。